(57)【要約】【課題】給紙カセットのロック解除を行う操作部の操作性をより一層向上させる。【解決手段】媒体に対して記録を行う記録部と、媒体を収容する収容部を備えるとともに、前記記録部を備える装置本体に対して装着及び引き出し可能な媒体収容カセットと、前記装置本体に対する前記媒体収容カセットのロック及びロック解除を行うロック手段と、前記媒体収容カセットの前面側に設けられ、前記ロック手段の状態切り換えを行う操作部と、を備え、前記操作部は、前記媒体収容カセットの前面に形成された凹部の内側の上側に位置する上側操作部と、前記凹部の内側の下側に位置する下側操作部と、を少なくとも備えて成ることを特徴とする。【選択図】図５
2018104140.tif 000002
【特許請求の範囲】
【請求項１】
媒体に対して記録を行う記録部と、
媒体を収容する収容部を備えるとともに、前記記録部を備える装置本体に対して装着及び引き出し可能な媒体収容カセットと、
前記装置本体に対する前記媒体収容カセットのロック及びロック解除を行うロック手段と、
前記媒体収容カセットの前面側に設けられ、前記ロック手段の状態切り換えを行う操作部と、を備え、
前記操作部は、前記媒体収容カセットの前面に形成された凹部の内側の上側に位置する上側操作部と、前記凹部の内側の下側に位置する下側操作部と、を少なくとも備えて成る、
ことを特徴とする記録装置。
【請求項２】
請求項１に記載の記録装置において、前記上側操作部と前記下側操作部は、一の操作レバーにより構成されている、
ことを特徴とする記録装置。
【請求項３】
請求項２に記載の記録装置において、前記操作レバーが前記装置本体に対する前記媒体収容カセットの着脱方向に変位することにより、前記ロック手段の状態切り換えが行われる、
ことを特徴とする記録装置。
【請求項４】
請求項３に記載の記録装置において、前記操作レバーの前記上側操作部と前記下側操作部は、前記媒体収容カセットの前面における前記凹部の外側領域の裏面側に位置している、
ことを特徴とする記録装置。
【請求項５】
請求項３または請求項４に記載の記録装置において、前記ロック手段は、前記装置本体側に設けられた本体側係合部と、
前記媒体収容カセット側に設けられ、前記本体側係合部に対して係合及び係合解除可能なカセット側係合部と、
前記操作レバーの動きを前記カセット側係合部の前記本体側係合部に対する進退動作に変換する変換機構と、を備え、
前記変換機構は、前記操作レバーの変位方向に対し交差する方向に延設されるとともに前記カセット側係合部を備える回動軸と、
前記操作レバーによって押されることで、前記回動軸を、前記カセット側係合部が前記本体側係合部から離れる際の回動方向に回動させるレバー係合部と、
前記回動軸を、前記カセット側係合部が前記本体側係合部に進出する際の回動方向に付勢する付勢手段と、を備えて成る、
ことを特徴とする記録装置。
【請求項６】
請求項１から請求項５のいずれか一項に記載の記録装置において、前記操作部は、前記凹部の内側の右側に位置する右側操作部と、前記凹部の内側の左側に位置する左側操作部と、を備える、
ことを特徴とする記録装置。
【請求項７】
媒体に対して記録を行う記録部を備える装置本体に対して装着及び引き出し可能な媒体収容カセットであって、
媒体を収容する収容部と、
前記装置本体に設けられた本体側係合部と係合可能であり、前記本体側係合部とともに前記装置本体に対して前記媒体収容カセットをロックするロック手段を構成するカセット側係合部と、
前記媒体収容カセットの前面側に設けられ、前記ロック手段の状態切り換えを行う操作部と、を備え、
前記操作部は、前記媒体収容カセットの前面に形成された凹部の内側の上側に位置する上側操作部と、前記凹部の内側の下側に位置する下側操作部と、を少なくとも備えて成る、
ことを特徴とする媒体収容カセット。
【発明の詳細な説明】
【技術分野】
【０００１】
本発明は、媒体に記録を行う記録装置に関する。また、本発明は媒体を収容する媒体収容カセットに関する。
【背景技術】
【０００２】
プリンターや複写機に代表される記録装置において、装置本体に対して着脱可能な給紙カセットは従来から広く用いられている。  
給紙カセットは、多くの場合カセット前面に把持部を備え、この把持部を把持して給紙カセットを手前側に引き出すことができる様に構成されている。
【０００３】
特許文献１には、従来の給紙カセットの把持部が下側から指をかけて手前に引く構成であり、ユーザーが腰をかがめた姿勢で給紙カセットを引き出す必要があり、ユーザーに負担を強いていたことに鑑みて、上側から把持できる第１把持部と下側から把持できる第２把持部を設け、上下いずれの側からでも指をかけて手前に引くことを可能とした給紙カセットが開示されている。
【先行技術文献】
【特許文献】
【０００４】
【特許文献１】特開２００７−２０４１７０号公報
【発明の概要】
【発明が解決しようとする課題】
【０００５】
ところで、記録装置では装置本体に対して給紙カセットを装着した状態でロックするロック手段が設けられることがあり、そして給紙カセットには、前記ロック手段のロック解除を行う為の操作レバーが設けられることがある。この操作レバーについても、操作性の向上が求められるが、特許文献１記載の給紙カセットは、引き出しの際の把持部について操作性の向上が図られているものの、給紙カセットのロック解除を行う為の操作レバーについての操作性は考慮されていない。
【０００６】
そこで本発明はこの様な状況に鑑み成されたものであり、その目的は、給紙カセットのロック解除を行う操作部の操作性をより一層向上させることにある。
【課題を解決するための手段】
【０００７】
上記課題を解決する為の、本発明の第１の態様に係る記録装置は、媒体に対して記録を行う記録部と、媒体を収容する収容部を備えるとともに、前記記録部を備える装置本体に対して装着及び引き出し可能な媒体収容カセットと、前記装置本体に対する前記媒体収容カセットのロック及びロック解除を行うロック手段と、前記媒体収容カセットの前面側に設けられ、前記ロック手段の状態切り換えを行う操作部と、を備え、前記操作部は、前記媒体収容カセットの前面に形成された凹部の内側の上側に位置する上側操作部と、前記凹部の内側の下側に位置する下側操作部と、を少なくとも備えて成ることを特徴とする。
【０００８】
本態様によれば、前記装置本体に対する前記媒体収容カセットのロック及びロック解除を行うロック手段の状態切り換えを行う操作部は、前記媒体収容カセットの前面に形成された凹部の内側の少なくとも上側に位置する上側操作部と、前記凹部の内側の少なくとも下側に位置する下側操作部と、を備えて成るので、ユーザーは前記上側操作部及び前記下側操作部のいずれを操作しても前記ロック手段の状態切り換えを行うことができる。
【０００９】
操作部に対してユーザーがどの様に指を掛けるかは、ユーザーの背の高さ、操作時の姿勢、好みなどによって変わり、また、前記媒体収容カセットの高さ位置や、前記媒体収容カセットを複数段備える場合にはどの段を操作するかによっても変わる。  
本態様では、上述のようにユーザーは前記上側操作部及び前記下側操作部のいずれを操作しても前記ロック手段の状態切り換えを行うことができるので、ユーザーの様々な要請に応えることができる。
【００１０】
本発明の第２の態様は、第１の態様において、前記上側操作部と前記下側操作部は、一の操作レバーにより構成されていることを特徴とする。  
本態様によれば、前記上側操作部と前記下側操作部は、一の操作レバーにより構成されているので、前記操作部を低コストに構成できる。
【００１１】
本発明の第３の態様は、第２の態様において、前記操作レバーが前記装置本体に対する前記媒体収容カセットの着脱方向に変位することにより、前記ロック手段の状態切り換えが行われることを特徴とする。
【００１２】
本態様によれば、前記操作レバーが前記装置本体に対する前記媒体収容カセットの着脱方向に変位することにより、前記ロック手段の状態切り換えが行われるので、前記操作レバーの操作が直感的に判り易く、ユーザーの操作性が向上する。
【００１３】
本発明の第４の態様は、第３の態様において、前記操作レバーの前記上側操作部と前記下側操作部は、前記媒体収容カセットの前面における前記凹部の外側領域の裏面側に位置していることを特徴とする。  
本態様によれば、前記操作レバーの前記上側操作部と前記下側操作部は、前記媒体収容カセットの前面における前記凹部の外側領域の裏面側に位置しているので、前記上側操作部と前記下側操作部が前記凹部の開口内に突出する構成に比して前記凹部の開口を大きく確保でき、操作性が向上する。
【００１４】
本発明の第５の態様は、第３のまたは第４の態様において、前記ロック手段は、前記装置本体側に設けられた本体側係合部と、前記媒体収容カセット側に設けられ、前記本体側係合部に対して係合及び係合解除可能なカセット側係合部と、前記操作レバーの動きを前記カセット側係合部の前記本体側係合部に対する進退動作に変換する変換機構と、を備え、前記変換機構は、前記操作レバーの変位方向に対し交差する方向に延設されるとともに前記カセット側係合部を備える回動軸と、前記操作レバーによって押されることで、前記回動軸を、前記カセット側係合部が前記本体側係合部から離れる際の回動方向に回動させるレバー係合部と、前記回動軸を、前記カセット側係合部が前記本体側係合部に進出する際の回動方向に付勢する付勢手段と、を備えて成ることを特徴とする。  
本態様によれば、前記変換機構を、構造簡単にして低コストに構成できる。
【００１５】
本発明の第６の態様は、第１から第５の態様のいずれかにおいて、前記操作部は、前記凹部の内側の右側に位置する右側操作部と、前記凹部の内側の左側に位置する左側操作部と、を備えることを特徴とする。
【００１６】
本態様によれば、前記操作部は、前記凹部の内側の右側に位置する右側操作部と、前記凹部の内側の左側に位置する左側操作部と、を備えるので、ユーザーは前記上側操作部及び前記下側操作部に加え、前記右側操作部及び前記左側操作部のいずれを操作しても前記ロック手段の状態切り換えを行うことができ、より一層操作性が向上する。
【００１７】
本発明の第７の態様は、媒体に対して記録を行う記録部を備える装置本体に対して装着及び引き出し可能な媒体収容カセットであって、媒体を収容する収容部と、前記装置本体に設けられた本体側係合部と係合可能であり、前記本体側係合部とともに前記装置本体に対して前記媒体収容カセットをロックするロック手段を構成するカセット側係合部と、前記媒体収容カセットの前面側に設けられ、前記ロック手段の状態切り換えを行う操作部と、を備え、前記操作部は、前記媒体収容カセットの前面に形成された凹部の内側の上側に位置する上側操作部と、前記凹部の内側の下側に位置する下側操作部と、を少なくとも備えて成ることを特徴とする。
【００１８】
本態様によれば、前記装置本体に対する前記媒体収容カセットのロック及びロック解除を行うロック手段の状態切り換えを行う操作部は、前記媒体収容カセットの前面に形成された凹部の内側の少なくとも上側に位置する上側操作部と、前記凹部の内側の少なくとも下側に位置する下側操作部と、を備えて成るので、ユーザーは前記上側操作部及び前記下側操作部のいずれを操作しても前記ロック手段の状態切り換えを行うことができる。
【図面の簡単な説明】
【００１９】
【図１】本発明に係るインクジェットプリンターの外観斜視図。
【図２】本発明に係るインクジェットプリンターから給紙カセットを取り外した状態の外観斜視図。
【図３】給紙カセットを前方側から見た斜視図。
【図４】給紙カセットを後方側から見た斜視図。
【図５】前面パネルを外した状態の給紙カセットの斜視図。
【図６】操作レバー及び変換機構の斜視図。
【図７】第１回動軸、第２回動軸、ロックレバー、のこれらの斜視図。
【図８】操作レバー及び変換機構の断面図。
【図９】操作レバー及び変換機構の断面図。
【図１０】操作レバー及び変換機構の断面図。
【図１１】給紙カセットの要部側面図。
【図１２】給紙カセットの要部側面図。
【図１３】手掛け凹部の正面図。
【図１４】他の実施形態に係る手掛け凹部の正面図。
【発明を実施するための形態】
【００２０】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２１】
図１は本発明に係る「記録装置」の一実施形態であるインクジェットプリンター（以下「プリンター」と言う）１の外観斜視図、図２は同外観斜視図であって給紙カセットを取り外した状態の図、図３は給紙カセットを前方側から見た斜視図、図４は給紙カセットを後方側から見た斜視図である。  
また、図５は前面パネルを外した状態の給紙カセットの斜視図、図６は操作レバー及び変換機構の斜視図、図８、図９、図１０は操作レバー及び変換機構の断面図、図１１及び図１２は給紙カセットの要部側面図、図１３は手掛け凹部の正面図である。  
更に、図１４は他の実施形態に係る手掛け凹部の正面図である。
【００２２】
以下、図１及び図２を参照しつつ媒体の一例としての記録用紙にインクジェット記録を行うプリンター１の全体構成について概説する。  
図１及び図２においてプリンター１は、スキャナー部２及び装置本体３によって大略構成されている。装置本体３は、記録用紙を搬送する搬送経路（不図示）や記録ヘッド７（後述）を備えており、また、本実施例では媒体収容カセットの一例として四つの給紙カセット１０Ａ、１０Ｂ、１０Ｃ、１０Ｄを着脱可能に備えている。図２において符号８Ａ、８Ｂ、８Ｃ、８Ｄは、それぞれ給紙カセット１０Ａ、１０Ｂ、１０Ｃ、１０Ｄが収容されるカセット収容部を示している。
【００２３】
符号５は、装置手前側に設けられた、プリンター１の各種操作を行う操作部である。符号６は、記録が行われて排出される記録用紙を受けるトレイであり、より具体的には直近に記録が行われた記録面を下にして排出される記録用紙を受けるフェイスダウン排紙トレイである。  
符号７は、インクを吐出するノズルが用紙幅方向全域をカバーする様に設けられた記録ヘッド（所謂ラインヘッド）であり、用紙幅方向への移動を伴わないで用紙幅全体に記録が可能な記録ヘッドとして構成されている。  
尚、本実施例では装置奥行き方向が用紙幅方向であり、装置幅方向が用紙給送、搬送、排出のこれらを行う方向となっている。
【００２４】
続いて、給紙カセット１０の構成について概説する。尚、以下ではカセット収容部８Ａ、８Ｂ、８Ｃ、８Ｄのこれらを特に区別せずに説明する場合はカセット収容部８と総称し、同様に給紙カセット１０Ａ、１０Ｂ、１０Ｃ、１０Ｄのこれらを特に区別せずに説明する場合は給紙カセット１０と総称することとする。
【００２５】
図３及び図４において符号１１は給紙カセット１０において記録用紙を収容する用紙収容部であり、符号２２は給紙カセット１０の着脱方向（プリンター１の奥行き方向）に沿って延びる被ガイド突起である。被ガイド突起２２は、カセット収容部８側のガイドレール（不図示）によってガイドされる突起である。尚、被ガイド突起２２は用紙収容部１１の両サイドに設けられているが、図３及び図４では一方側のサイドに設けられた被ガイド突起２２のみが表れている。
【００２６】
用紙収容部１１の内部にはエッジガイド２０、２１Ａ、２１Ｂが設けられている。エッジガイド２０は記録用紙の後端をガイドするエッジガイドであり、エッジガイド２１Ａ、２１Ｂは記録用紙の左右端をガイドするエッジガイドである。  
また、給紙カセット１０の前面側には手掛け凹部１３が形成されており、この手掛け凹部１３に手を掛けることで、ユーザーは作業性容易に給紙カセット１０を引き抜くことができる。
【００２７】
また、給紙カセット１０の前面を構成する前面パネル１７には表示窓１４が形成されており、その内側に、収容する記録用紙のサイズを示す記号（例えば”Ａ３”、Ａ４”、等）を視認できる様になっている。記録用紙のサイズを示す記号は、表示プレート１５に表示されており、この表示プレート１５は、張り出し部１２の裏側に設けられたプレート保持部１６によって保持されている。表示プレート１５はプレート保持部１６に対して着脱可能となっており、給紙カセット１０に収容する用紙サイズに適した記号が付された表示プレート１５に、容易に交換できる様になっている。
【００２８】
そして用紙収容部１１において装置前方側には張り出し部１２が設けられている。  
張り出し部１２は、用紙収容部１１の幅よりも装置側方（本実施例では装置右側）に張り出している。  
上述した表示窓１４は、張り出し部１２に設けられている。
【００２９】
以上が給紙カセット１０の大略構成であり、以下、装置本体３に対する給紙カセット１０のロック及びロック解除を行う機構について図５以降をも参照しつつ説明する。  
給紙カセット１０は、カセット収容部８に装着される際、装着状態にロックされ、ロック解除操作を行わない限り引き抜くことができない様に構成されている。給紙カセット１０のロックは、図５、図１１、図１２に示す「カセット側係合部」としてのロックレバー２７と、図１１、図１２に示す「本体側係合部」としての係止フック２６との係合により行われる。  
ロックレバー２７と係止フック２６は、給紙カセット１０を装置本体にロックするロック手段２５を構成する。  
尚、係止フック２６は給紙カセット１０側ではなく装置本体３（カセット収容部８）側に設けられているが、図１１、図１２では説明の便宜上係止フック２６のみを示し、装置本体３の図示は省略している。
【００３０】
ロックレバー２７は、本実施形態では用紙収容部１１の右側面の、前方側に設けられている。ロックレバー２７は、詳しくは後述するが第１回動軸３４を中心にして図１１及び図１２における時計回り方向及び反時計回り方向に回動可能に設けられており、回動することにより係止フック２６に対して進退する。これによりロックレバー２７は、図１１に示すロック状態、即ち係止フック２６に係止する状態と、図１２に示すロック解除状態、即ち係止フック２６から外れる状態と、を切り換えることができる。尚、符号１１ｂは、ロックレバー２７の回動限度を規制するレバー規制部である。
【００３１】
ロック状態とロック解除状態の切り換え、即ちロックレバー２７の回動動作（第１回動軸３４の回動動作）は、手掛け凹部１３の内側に設けられた「操作部」としての操作レバー３１を操作することで行うことができる。給紙カセット１０の前面パネル１７を取り外した状態を示す図５において操作レバー３１は、用紙収容部１１の前面部１１ａに対し、給紙カセット１０の着脱方向（図５の矢印Ｅ方向）にスライド動作可能に設けられている。
【００３２】
操作レバー３１の動きは、変換機構３０（図６）により、ロックレバー２７の係止フック２６に対する進退動作、即ちロックレバー２７の回動動作（第１回動軸３４の回動動作）に変換される。  
図６において変換機構３０は、操作レバー３１の変位方向に対し交差する方向（本実施形態では装置幅方向）に延設されるとともにロックレバー２７を備える第１回動軸３４と、第１回動軸３４の延設方向と同じ方向に延設されるとともに第１回動軸３４が嵌合し、第１回動軸３４とともに回動する第２回動軸３５と、を備えている。
【００３３】
第２回動軸３５の上方側には、操作レバー３１によって装置手前側に引かれることで、第２回動軸３５及び第１回動軸３４を、ロックレバー２７が係止フック２６から離れる際（ロック解除する際）の回動方向（図６において反時計回り方向）に回動させるレバー係合部３５ａ、３５ａ（図７も参照）が設けられている。  
また変換機構３０は、付勢手段としての圧縮ばね３６を備え、この圧縮ばね３６が、第２回動軸３５の下方側に設けられた被押圧部３５ｂを装置手前側に押圧し、これにより第２回動軸３５及び第１回動軸３４が、ロックレバー２７が係止フック２６に進出する際（ロックする際）の回動方向に付勢される（図９も参照）。  
尚、図７の符号３５ｃは、圧縮ばね３６が嵌合するばね嵌合部を示している。
【００３４】
図６において操作レバー３１にはアーム部３２、３２が一体に設けられており、アーム部３２、３２が操作レバー３１と一体に変位動作する。アーム部３２にはレバー挿入空間３２ｂが形成されており、このレバー挿入空間３２ｂに、レバー係合部３５ａが入り込んだ状態となっている（図８、図１０も参照）。
【００３５】
尚、図８及び図１０は、変換機構３０を含む給紙カセット１０の前方部をレバー係合部３５ａの位置において第２回動軸３５の回動軸線と直交する面で切断した断面図であり、図８は前面パネル１７の図示を省略しており、図１０では前面パネル１７及び操作レバー３１の図示を省略している。  
また、図９は、変換機構３０を含む給紙カセット１０の前方部を被押圧部３５ｂ及び圧縮ばね３６の位置において第２回動軸３５の回動軸線と直交する面で切断した断面図である。
【００３６】
操作レバー３１は、非操作時は、圧縮ばね３６の付勢力によって、装置奥側に付勢されており、装置手前側への変位動作が可能な状態となっている（図８の状態）。  
この状態から操作レバー３１に手を掛けて装置手前側、即ち給紙カセット１０の引き抜き側に引き寄せると（図８〜図１０において左方向）、操作レバー３１の装置手前側への変位に伴ってアーム部３２のレバー押圧部３２ａが、レバー係合部３５ａ、３５ａを装置手前側に押し、これにより第２回動軸３５及び第１回動軸３４が図８〜図１０の反時計回り方向に回動して、ロックレバー２７が係止フック２６から離間してロック解除となる（図１０）。  
尚、ロック解除された状態で操作レバー３１から手を離すと、圧縮ばね３６の付勢力によって操作レバー３１は元の位置に戻る（図８、図９の状態）。
【００３７】
次に、給紙カセット１０前面の手掛け凹部１３と操作レバー３１との位置関係について図１３を参照しつつ説明する。操作レバー３１は、手掛け凹部１３の内側において上側に位置する上側操作部３１ａと、手掛け凹部１３の内側において下側に位置する下側操作部３１ｂと、を備えている（図５、図９も参照）。  
従ってユーザーは上側操作部３１ａ及び下側操作部３１ｂのいずれを操作しても給紙カセット１０のロック及びロック解除、即ちロックレバー２７の状態切り換えを行うことができる。
【００３８】
即ち、操作部としての操作レバー３１に対してユーザーがどの様に指を掛けるかは、ユーザーの背の高さ、操作時の姿勢、好みなどによって変わり、また、給紙カセット１０の高さ位置や、どの段の給紙カセット１０を操作するかによっても変わる。  
本実施形態では、上述のようにユーザーは上側操作部３１ａ及び下側操作部３１ｂのいずれを操作してもロックレバー２７の状態切り換えを行うことができるので、ユーザーの様々な要請に応えることができる。  
また、操作レバー３１は手掛け凹部１３の内側に配置されており、カセット前面に露出しない構成の為、カセット前面の凹凸が少なく、美観に優れた給紙カセット１０を構成できる。
【００３９】
尚、本実施形態では上側操作部３１ａと下側操作部３１ｂは、一の操作レバー３１により構成されているので、操作部を低コストに構成できる。
【００４０】
また本実施形態では、操作レバー３１が、プリンター１の装置本体３に対する給紙カセット１０の着脱方向に変位することにより（図５の矢印Ｅ方向）、ロックレバー２７の状態切り換えが行われるので、操作レバー３１の操作が直感的に判り易く、ユーザーの操作性が向上する。
【００４１】
また本実施形態では、操作レバー３１の上側操作部３１ａと下側操作部３１ｂは、手掛け凹部１３の外側領域の裏面側に位置している。  
より詳しくは、図１３において符号１３ａは手掛け凹部１３の上側縁部を、符号１３ｂは下側縁部を、符号１３ｃは右側縁部を、符号１３ｄは左側縁部を、それぞれ示していて、本実施形態において上側操作部３１ａは上側縁部１３ａよりも上側の領域を持ち、下側操作部３１ｂは下側縁部１３ｂよりも下側の領域を持つ。  
図１３において符号Ａ１、Ａ２は、手掛け凹部１３の外側領域の裏面側において上側操作部３１ａと下側操作部３１ｂの占める範囲を示しており（斜線で示した領域）、いわば手指を掛けることができるかかりしろを示すものである。本実施形態ではこのような手指のかかりしろが確保されている。  
この様な構成によって、上側操作部３１ａと下側操作部３１ｂが手掛け凹部１３の開口内に突出する構成に比して、手掛け凹部１３の開口を大きく確保でき、操作性が向上する。
【００４２】
尚、本実施形態は上述の様に操作レバー３１は手掛け凹部１３の内側において上側に位置する上側操作部３１ａと、下側に位置する下側操作部３１ｂとを備えているが、これに加えて更に、図１４に示す様に右側操作部３１ｃと、左側操作部３１ｄとを更に備える様に構成しても良い。  
図１４において符号３１０は他の実施形態に係る操作レバー３１を示しており、符号Ｂ１、Ｂ２は、手掛け凹部１３の外側領域の裏面側において右側操作部３１ｃと左側操作部３１ｄの占める範囲を示しており（斜線で示した領域）、手指を掛けることができるかかりしろを示すものである。  
この様に構成することで、ユーザーは手掛け凹部１３の内部において上下左右いずれの側にも手指を掛けることができ、給紙カセット１０のロック及びロック解除を行う際の操作性がより一層向上する。
【００４３】
＜実施形態の変更例＞  
尚、上述した実施形態は、例えば以下の様に変更することができる。  
（１）上記実施形態では、手掛け凹部１３の内側において上下、或いは上下左右に手指を掛けることができる操作部を設けたが、上下左右に限らず、例えば斜め方向にも操作部を設けても良いし、或いは操作レバー３１を円環状に形成し、手掛け位置を上下左右等に限定しない構成としても良い。  
（２）上記実施形態は、本発明を媒体の一例としての記録用紙を収容する給紙カセットに適用したが、給紙カセットに限らず、操作部を操作して装着のロック及びロック解除を行うその他の着脱体に対して適用することもできる。
【符号の説明】
【００４４】
１…インクジェットプリンター、２…スキャナー部、３…装置本体、５…操作部、６…フェイスダウン排紙トレイ、７…記録ヘッド、８、８Ａ〜８Ｄ…カセット収容部、１０、１０Ａ〜１０Ｄ…給紙カセット、１１…用紙収容部、１１ａ…前面部、１１ｂ…レバー規制部、１２…張り出し部、１３…手掛け凹部、１４…表示窓、１５…表示プレート、１６…プレート保持部、１７…前面パネル、２０…エッジガイド、２１Ａ、２１Ｂ…エッジガイド、２２…被ガイド突起、２５…ロック手段、２６…係止フック（本体側係合部）、２７…ロックレバー（カセット側係合部）、３０…変換機構、３１…操作レバー、３１ａ…上側操作部、３１ｂ…下側操作部、３１ｃ…右側操作部、３１ｄ…左側操作部、３２…アーム部、３２ａ…レバー押圧部、３２ｂ…レバー挿入空間、３４…第１回動軸、３５…第２回動軸、３５ａ…レバー係合部、３５ｂ…被押圧部、３５ｃ…ばね嵌合部、３６…圧縮ばね
【図１】
2018104140.tif 000003
【図２】
2018104140.tif 000004
【図３】
2018104140.tif 000005
【図４】
2018104140.tif 000006
【図５】
2018104140.tif 000007
【図６】
2018104140.tif 000008
【図７】
2018104140.tif 000009
【図８】
2018104140.tif 000010
【図９】
2018104140.tif 000011
【図１０】
2018104140.tif 000012
【図１１】
2018104140.tif 000013
【図１２】
2018104140.tif 000014
【図１３】
2018104140.tif 000015
【図１４】
2018104140.tif 000016